(57)【要約】  本発明の実施例は、アクセス制御方法、デバイス、コンピュータ可読媒体及びシステムを提供し、該方法は、無線リソース制御ＲＲＣ層により第１の原因値ｃａｕｓｅ ｖａｌｕｅを生成することと、送信されるＲＲＣ専用シグナリングに前記第１の原因値をカプセル化することと、前記第１の原因値がカプセル化された、送信されるＲＲＣ専用シグナリングをネットワーク側デバイスに送信することとを含み、ここで、前記送信されるＲＲＣ専用シグナリングは、前記ネットワーク側デバイスがアクセス制御を行うために用いられる。ネットワーク側デバイスは、送信されるＲＲＣ専用シグナリングを受信した後、ＮＡＳ層によって提供された第２の原因値を取得することができない場合であっても、ＵＥのＲＲＣ層によって提供された第１の原因値に基づいてアクセス制御を行うことができ、非ＮＡＳ層によってトリガーされたアクセスをアクセス制御することができる。
2021502755.tif 000002
【特許請求の範囲】
【請求項１】
ユーザーデバイスＵＥに応用されるアクセス制御方法であって、
無線リソース制御ＲＲＣ層により第１の原因値ｃａｕｓｅ ｖａｌｕｅを生成することと、
送信されるＲＲＣ専用シグナリングに前記第１の原因値をカプセル化することと、
前記第１の原因値がカプセル化された、送信されるＲＲＣ専用シグナリングをネットワーク側デバイスに送信することとを含み、
前記送信されるＲＲＣ専用シグナリングは、前記ネットワーク側デバイスがアクセス制御を行うために用いられる
ことを特徴とするアクセス制御方法。
【請求項２】
前記無線リソース制御ＲＲＣ層により第１の原因値ｃａｕｓｅ ｖａｌｕｅを生成する前に、前記方法は、さらに、
前記送信されるＲＲＣ専用シグナリングに非アクセス層ＮＡＳにより提供される第２の原因値が存在するかどうかを検出することと、
前記送信されるＲＲＣ専用シグナリングに前記第２の原因値が存在しない場合、ＲＲＣ層により前記第１の原因値を生成することとを含む
ことを特徴とする請求項１に記載のアクセス制御方法。
【請求項３】
前記無線リソース制御ＲＲＣ層により第１の原因値ｃａｕｓｅ ｖａｌｕｅを生成する前に、前記方法は、さらに、
前記ＵＥがあるＲＲＣ状態を検出することと、
前記ＵＥが接続Ｃｏｎｎｅｃｔｅｄ状態又は非アクティブｉｎａｃｔｉｖｅ状態にある場合、無線リソース制御ＲＲＣ層により第１の原因値ｃａｕｓｅ ｖａｌｕｅを生成することとを含む
ことを特徴とする請求項１に記載のアクセス制御方法。
【請求項４】
前記送信されるＲＲＣ専用シグナリングに前記第１の原因値をカプセル化することは、
前記送信されるＲＲＣ専用シグナリングに情報ユニットＩＥを追加で設定することと、
前記第１の原因値を前記追加で設定されたＩＥに書き込むこととを含み、前記追加で設定されたＩＥとＮＡＳ層により提供される第２の原因値が存在するＩＥとが、独立している
ことを特徴とする請求項１に記載のアクセス制御方法。
【請求項５】
ネットワーク側デバイスに応用されるアクセス制御方法であって、
ユーザーデバイスＵＥにより送信されたＲＲＣ専用シグナリングを受信することと、
前記ＲＲＣ専用シグナリングを解析して、前記ＲＲＣ専用シグナリングに搬送される第１の原因値を取得することと、
前記第１の原因値に基づいて、前記ＲＲＣ専用シグナリングに対するアクセスカテゴリＡｃｃｅｓｓ Ｃａｔｅｇｏｒｙを検索することと、
前記アクセスカテゴリに基づいて前記ＲＲＣ専用シグナリングに対してアクセス制御ＡＣを行うこととを含み、
前記第１の原因値は、前記ＵＥが無線リソース制御ＲＲＣ層により生成したものである
ことを特徴とするアクセス制御方法。
【請求項６】
前記ＲＲＣ専用シグナリングを解析して、前記ＲＲＣ専用シグナリングに搬送される第１の原因値を取得することは、
前記ＲＲＣ専用シグナリングを解析して、前記ＲＲＣ専用シグナリングに非アクセス層ＮＡＳにより提供される第２の原因値が存在するかどうかを検索することと、
前記ＲＲＣ専用シグナリングに前記第２の原因値が存在しない場合、ＲＲＣ層により生成される第１の原因値が存在するかどうかを検索することと、
前記ＲＲＣ専用シグナリングに前記第１の原因値が存在する場合、前記第１の原因値を取得することとを含む
ことを特徴とする請求項５に記載のアクセス制御方法。
【請求項７】
前記ＲＲＣ層により生成される第１の原因値が存在するかどうかを検索することは、
追加で設定された情報ユニットＩＥが存在するかどうかを検索することと、
追加で設定されたＩＥを検索した場合、追加で設定されたＩＥに前記第１の原因値が存在するかどうかを検定することとを含む
ことを特徴とする請求項６に記載のアクセス制御方法。
【請求項８】
生成部と、カプセルと、送信部と備えるユーザーデバイスＵＥであって、
前記生成部は、無線リソース制御ＲＲＣ層により第１の原因値ｃａｕｓｅ ｖａｌｕｅを生成するように構成され、
前記カプセルは、送信されるＲＲＣ専用シグナリングに前記第１の原因値をカプセル化するように構成され、
前記送信部は、前記第１の原因値がカプセル化された、送信されるＲＲＣ専用シグナリングをネットワーク側デバイスに送信するように構成され、
前記送信されるＲＲＣ専用シグナリングは、前記ネットワーク側デバイスがアクセス制御を行うために用いられる
ことを特徴とするＵＥ。
【請求項９】
前記ＵＥは、第１の検出部をさらに含み、
前記第１の検出部は、前記送信されるＲＲＣ専用シグナリングに非アクセス層ＮＡＳにより提供される第２の原因値が存在するかどうかを検出し、前記送信されるＲＲＣ専用シグナリングに前記第２の原因値が存在しない場合、前記生成部をトリガーするように構成される
ことを特徴とする請求項８に記載のＵＥ。
【請求項１０】
前記ＵＥは、さらに、第２の検出部を含み、
前記第２の検出部は、前記ＵＥがあるＲＲＣ状態を検出し、前記ＵＥが接続Ｃｏｎｎｅｃｔｅｄ状態又は非アクティブｉｎａｃｔｉｖｅ状態にある場合、前記生成部をトリガーするように構成される
ことを特徴とする請求項８に記載のＵＥ。
【請求項１１】
前記カプセル部は、前記送信されるＲＲＣ専用シグナリングに情報ユニットＩＥを追加で設定し、
前記第１の原因値を前記追加で設定されたＩＥに書き込むように構成され、
前記追加で設定されたＩＥとＮＡＳ層により提供される第２の原因値が存在するＩＥとが、独立している
ことを特徴とする請求項８に記載のＵＥ。
【請求項１２】
受信部と、解析部と、検索部と、制御部とを備える前記ネットワーク側デバイスであって、
前記受信部は、ユーザーデバイスＵＥにより送信されたＲＲＣ専用シグナリングを受信するように構成され、
前記解析部は、前記ＲＲＣ専用シグナリングを解析して、前記ＲＲＣ専用シグナリングに搬送される第１の原因値を取得するように構成され、前記第１の原因値は、前記ＵＥが無線リソース制御ＲＲＣ層により生成したものであり、
前記検索部は、前記第１の原因値に基づいて、前記ＲＲＣ専用シグナリングに対するアクセスカテゴリＡｃｃｅｓｓ Ｃａｔｅｇｏｒｙを検索するように構成され、
前記制御部は、前記アクセスカテゴリに基づいて前記ＲＲＣ専用シグナリングに対してアクセス制御ＡＣを行うように構成される
ことを特徴とするネットワーク側デバイス。
【請求項１３】
前記解析部は、
前記ＲＲＣ専用シグナリングを解析して、前記ＲＲＣ専用シグナリングに非アクセス層ＮＡＳにより提供される第２の原因値が存在するかどうかを検索し、
前記ＲＲＣ専用シグナリングに前記第２の原因値が存在しない場合、ＲＲＣ層により生成される第１の原因値が存在するかどうかを検索し、
前記ＲＲＣ専用シグナリングに前記第１の原因値が存在する場合、前記第１の原因値を取得するように構成される
ことを特徴とする請求項１２に記載のネットワーク側デバイス。
【請求項１４】
前記検索部は、
追加で設定された情報ユニットＩＥが存在するかどうかを検索し、
追加で設定されたＩＥを検索した場合、追加で設定されたＩＥに前記第１の原因値が存在するかどうかを検定するように構成される
ことを特徴とする請求項１３に記載のネットワーク側デバイス。
【請求項１５】
第１のネットワークインターフェースと、第１のメモリと、第１のプロセッサとを備えるＵＥであって、
前記第１のネットワークインターフェースは、他の外部ネットワークエンティティとの間で情報を送受信する過程において、信号の送受信を行うように構成され、
前記第１のメモリは、前記第１のプロセッサ上で実行可能なコンピュータプログラムを記憶するように構成され、
前記第１のプロセッサは、前記コンピュータプログラムを実行する際に、請求項１〜４のいずれか１項に記載の方法のステップを実行するように構成されている
ことを特徴とするＵＥ。
【請求項１６】
第２のネットワークインターフェースと、第２のメモリと、第２のプロセッサとを備えるネットワーク側デバイスであって、
前記第２のネットワークインターフェースは、他の外部ネットワークエンティティとの間で情報を送受信する過程において、信号の送受信を行うように構成され、
前記第２のメモリは、前記第２のプロセッサ上で実行可能なコンピュータプログラムを記憶するように構成され、
前記第２のプロセッサは、前記コンピュータプログラムを実行する際に、請求項５〜７のいずれか１項に記載の方法のステップを実行するように構成されている
ことを特徴とするネットワーク側デバイス。
【請求項１７】
少なくとも１つのプロセッサによって実行されると、請求項１〜７のいずれか１項に記載の方法のステップを実現するアクセス制御のプログラムを記憶した
ことを特徴とするコンピュータ可読媒体。
【請求項１８】
ユーザーデバイスＵＥと、ネットワーク側デバイスとを備えるアクセス制御のシステムであって、
前記ユーザーデバイスは、無線リソース制御ＲＲＣ層により第１の原因値ｃａｕｓｅ ｖａｌｕｅを生成し、
送信されるＲＲＣ専用シグナリングに前記第１の原因値をカプセル化し、
前記第１の原因値がカプセル化された、送信されるＲＲＣ専用シグナリングを前記ネットワーク側デバイスに送信するように構成され、
前記送信されるＲＲＣ専用シグナリングは、前記ネットワーク側デバイスがアクセス制御を行うために用いられ、
前記ネットワーク側デバイスは、前記ユーザーデバイスＵＥにより送信されたＲＲＣ専用シグナリングを受信し、
前記ＲＲＣ専用シグナリングを解析して、前記ＲＲＣ専用シグナリングに搬送される第１の原因値を取得し、
前記第１の原因値に基づいて前記ＲＲＣ専用シグナリングに対するアクセスカテゴリＡｃｃｅｓｓ Ｃａｔｅｇｏｒｙを検索し、
前記アクセスカテゴリに基づいて前記ＲＲＣ専用シグナリングに対してアクセス制御ＡＣを行うように構成され、
前記第１の原因値は、前記ＵＥが無線リソース制御ＲＲＣ層により生成したものである
ことを特徴とするシステム。
【請求項１９】
ネットワーク側デバイスに応用されるアクセス制御方法であって、
アクセス制御ＡＣを行うためのＡＣパラメータを第１のＡＣパラメータと第２のＡＣパラメータに分けることと、
前記第１のＡＣパラメータ及び前記第２のＡＣパラメータを異なる情報キャリアにそれぞれ搬送して端末に送信することとを含み、
前記第１のＡＣパラメータが予め設定された特徴に関連し、前記第２のＡＣパラメータが予め設定された特徴に関連しない
ことを特徴とするアクセス制御方法。
【請求項２０】
前記第１のＡＣパラメータ及び前記第２のＡＣパラメータを異なる情報キャリアにそれぞれ搬送して端末に送信することは、
前記第１のＡＣパラメータを第１のシステム情報ブロックＳＩＢ又はＲＲＣシグナリングに搬送して前記端末に送信することと、
前記第２のＡＣパラメータを第２のＳＩＢに搬送して前記端末に送信することとを含み、
前記第１のＳＩＢが前記第２のＳＩＢと異なる
ことを特徴とする請求項１９に記載のアクセス制御方法。
【請求項２１】
前記予め設定された特徴は、公共陸上移動ネットワークＰＬＭＮ、又はアクセスカテゴリＡｃｃｅｓｓ Ｃａｔｅｇｏｒｙを含む
ことを特徴とする請求項１９又は２０に記載のアクセス制御方法。
【請求項２２】
ユーザーデバイスに応用されるアクセス制御方法であって、
第１のＡＣパラメータと第２のＡＣパラメータを受信することと、
前記第１のＡＣパラメータ及び前記第２のＡＣパラメータに基づいてアクセス制御を行うこととを含み、
前記第１のＡＣパラメータ及び前記第２のＡＣパラメータが異なる情報キャリアにそれぞれ搬送され、前記第１のＡＣパラメータが予め設定された特徴に関連し、前記第２のＡＣパラメータが予め設定された特徴に関連しない
ことを特徴とするアクセス制御方法。
【請求項２３】
第１のＡＣパラメータが第１のＳＩＢ又はＲＲＣシグナリングに搬送され、前記第２のＡＣパラメータが第２のＳＩＢに搬送され、前記第１のＳＩＢが前記第２のＳＩＢと異なる
ことを特徴とする請求項２２に記載のアクセス制御方法。
【請求項２４】
前記予め設定された特徴は、公共陸上移動ネットワークＰＬＭＮ、又はアクセスカテゴリＡｃｃｅｓｓ Ｃａｔｅｇｏｒｙを含む
ことを特徴とする請求項２２又は２３に記載のアクセス制御方法。
【請求項２５】
分け部と、送信部と、を備えるネットワーク側デバイスであって、
前記分け部は、アクセス制御ＡＣを行うためのＡＣパラメータを第１のＡＣパラメータと第２のＡＣパラメータに分けるように構成され、
前記送信部は、前記第１のＡＣパラメータ及び前記第２のＡＣパラメータを異なる情報キャリアにそれぞれ搬送して端末に送信するように構成され、
第１のＡＣパラメータが予め設定された特徴に関連し、前記第２のＡＣパラメータが予め設定された特徴に関連しない
ことを特徴とするネットワーク側デバイス。
【請求項２６】
前記送信部は、
前記第１のＡＣパラメータを第１のＳＩＢ又はＲＲＣシグナリングに搬送して前記端末に送信し、
前記第２のＡＣパラメータを第２のＳＩＢに搬送して前記端末に送信するように構成され、
前記第１のＳＩＢが前記第２のＳＩＢと異なる
ことを特徴とする請求項２５に記載のネットワーク側デバイス。
【請求項２７】
前記予め設定された特徴は、公共陸上移動ネットワークＰＬＭＮ、又はアクセスカテゴリＡｃｃｅｓｓ Ｃａｔｅｇｏｒｙを含む
ことを特徴とする請求項２５又は２６に記載のネットワーク側デバイス。
【請求項２８】
受信部と、アクセス制御部とを備えるユーザーデバイスＵＥであって、
前記受信部は、第１のＡＣパラメータと第２のＡＣパラメータを受信するように構成され、
前記アクセス制御部は、前記第１のＡＣパラメータ及び前記第２のＡＣパラメータに基づいてアクセス制御を行うように構成され、
前記第１のＡＣパラメータ及び前記第２のＡＣパラメータが異なる情報キャリアにそれぞれ搬送され、前記第１のＡＣパラメータが予め設定された特徴に関連し、前記第２のＡＣパラメータが予め設定された特徴に関連しない
ことを特徴とするＵＥ。
【請求項２９】
第１のＡＣパラメータが第１のＳＩＢ又はＲＲＣシグナリングに搬送され、前記第２のＡＣパラメータが第２のＳＩＢに搬送され、前記第１のＳＩＢが前記第２のＳＩＢと異なる
ことを特徴とする請求項２８に記載のＵＥ。
【請求項３０】
前記予め設定された特徴は、公共陸上移動ネットワークＰＬＭＮ、又はアクセスカテゴリＡｃｃｅｓｓ Ｃａｔｅｇｏｒｙを含む
ことを特徴とする請求項２８又は２９に記載のＵＥ。
【請求項３１】
第３のネットワークインターフェースと、第３のメモリと、第３のプロセッサとを備えるネットワーク側デバイスであって、
前記第３のネットワークインターフェースは、他の外部ネットワークエンティティとの間で情報を送受信する過程において、信号の送受信を行うように構成され、
前記第３のメモリは、前記第３のプロセッサ上で実行可能なコンピュータプログラムを記憶するように構成され、
前記第３のプロセッサは、前記コンピュータプログラムを実行する際に、請求項１９〜２１のいずれか１項に記載の方法のステップを実行するように構成されている
ことを特徴とするネットワーク側デバイス。
【請求項３２】
第４のネットワークインターフェースと、第４のメモリと、第４のプロセッサとを備えるユーザーデバイスＵＥであって、
前記第４のネットワークインターフェースは、他の外部ネットワークエンティティとの間で情報を送受信する過程において、信号の送受信を行うように構成され、
前記第４のメモリは、前記第４のプロセッサ上で実行可能なコンピュータプログラムを記憶するように構成され、
前記第４のプロセッサは、前記コンピュータプログラムを実行する際に、請求項２２〜２４のいずれか１項に記載の方法のステップを実行するように構成されている
ことを特徴とするＵＥ。
【請求項３３】
少なくとも１つのプロセッサによって実行されると、請求項１９〜２１又は２２〜２４のいずれか１項に記載の方法のステップを実現するアクセス制御のプログラムを記憶した
ことを特徴とするコンピュータ可読媒体。
【発明の詳細な説明】
【技術分野】
【０００１】
本願は、国際出願番号ＰＣＴ／ＣＮ２０１７／１１０２９２、国際出願日２０１７年１１月０９日、発明の名称「アクセス制御方法、デバイス、コンピュータ可読媒体及びシステム」に基づくＰＣＴ国際出願に基づき、このＰＣＴ国際出願の優先権を主張し、このＰＣＴ国際出願の全内容を参照により本出願に援用する。
【０００２】
本発明の実施例は、無線通信技術分野に関し、特に、アクセス制御方法、デバイス、コンピュータ可読媒体及びシステムに関する。
【背景技術】
【０００３】
ロングタームエボリューション( ＬＴＥ、Ｌｏｎｇ Ｔｅｒｍ Ｅｖｏｌｕｔｉｏｎ )システムでは、ネットワークの過負荷現象の発生を回避するために、アクセス制御制限( ＡＣＢ、Ａｃｃｅｓｓ Ｃｏｎｔｒｏｌ Ｂａｒｒｉｎｇ )メカニズムが導入され、また、データ通信におけるアプリケーション関連の輻輳制御( ＡＣＤＣ、Ａｐｐｌｉｃａｔｉｏｎ ｓｐｅｃｉｆｉｃ Ｃｏｎｇｅｓｔｉｏｎ Ｃｏｎｔｒｏｌ ｆｏｒ Ｄａｔａ Ｃｏｍｍｕｎｉｃａｔｉｏｎ )、拡張アクセス制限( ＥＡＢ、Ｅｘｔｅｎｄｅｄ Ａｃｃｅｓｓ Ｂａｒｒｉｎｇ )、およびサービス関連のアクセス制御( ＳＳＡＣ、Ｓｅｒｖｉｃｅ−ｓｐｅｃｉｆｉｃ Ａｃｃｅｓｓ Ｃｏｎｔｒｏｌ )などの多様なアクセス制御メカニズムが導入されている。
【０００４】
通信技術の発展に伴い、第５世代移動体通信技術( ５Ｇ、５ ｔｈ Ｇｅｎｅｒａｔｉｏｎ )の研究も進められている。５Ｇの無線アクセスはＮｅｗ Ｒａｄｉｏと呼ばれ、ＮＲと略称される。５Ｇ ＮＲでは、異なるアクセス制御メカニズムによるシステム設計の複雑さの増大を回避するために、統一されたアクセス制御( ＵＡＣ、Ｕｎｉｆｉｅｄ Ａｃｃｅｓｓ Ｃｏｎｔｒｏｌ )メカニズムを設計し、実装する必要がある。ＬＴＥシステムでは、アクセス制御ＡＣメカニズムの実行は、通常、非アクセス層( ＮＡＳ、Ｎｏｎ−Ａｃｃｅｓｓ Ｓｔｒａｔｕｍ )メッセージで提供される原因値ｃａｕｓｅ ｖａｌｕｅに基づいて、ＮＡＳメッセージを対応するアクセスカテゴリａｃｃｅｓｓ ｃａｔｅｇｏｒｙにマッピングし、さらに、各アクセスカテゴリは、異なるｂａｒｒｉｎｇパラメータを有し、異なる確率でのｂａｒｒｉｎｇ処理を可能にし、異なるｂａｒｒｉｎｇ時間を維持する。
【０００５】
上記のＬＴＥシステムにおけるＡＣメカニズムから分かるように、現在の関連技術におけるＡＣメカニズムは、ＮＡＳ層がｃａｕｓｅ ｖａｌｕｅを提供する必要とするが、５Ｇシステムにおいて、ユーザデバイス（ ＵＥ、Ｕｓｅｒ Ｅｑｕｉｐｍｅｎｔ )は、接続Ｃｏｎｎｅｃｔｅｄ状態又は非アクティブｉｎａｃｔｉｖｅ状態にあり得る。ＵＥがＣｏｎｎｅｃｔｅｄ状態にあるとき、ＵＥは、アクセスネットワーク及びコアネットワークに接続され、ＵＥが非アクティブ状態にあるとき、ＵＥはアクセスネットワークに接続されるが、コアネットワークには接続されない。このとき、ＵＥのアクセスは、ＮＡＳ層によってトリガーされず、すなわち、原因値ｃａｕｓｅ ｖａｌｕｅがＮＡＳ層によって提供されない。以上のように、従来技術では、非ＮＡＳ層によりトリガーするアクセスを制御することができない。
【発明の概要】
【０００６】
本発明は、上記のような技術的課題を解決するために、非ＮＡＳ層によりトリガーするアクセスをアクセス制御することができるアクセス制御方法、デバイス、コンピュータ可読媒体およびシステムを提供する。
【０００７】
本発明の実施例の技術案は、以下のように実現され得る。
【０００８】
第１の態様として、本発明の実施例は、アクセス制御方法を提供し、前記方法がユーザーデバイスＵＥに応用され、
無線リソース制御ＲＲＣ層により第１の原因値ｃａｕｓｅ ｖａｌｕｅを生成することと、
送信されるＲＲＣ専用シグナリングに前記第１の原因値をカプセル化することと、
前記第１の原因値がカプセル化された、送信されるＲＲＣ専用シグナリングをネットワーク側デバイスに送信することとを含み、
ここで、前記送信されるＲＲＣ専用シグナリングは、前記ネットワーク側デバイスがアクセス制御を行うために用いられる。
【０００９】
第２の態様として、本発明の実施例は、アクセス制御方法を提供し、ネットワーク側デバイスに応用され、
ユーザーデバイスＵＥにより送信されたＲＲＣ専用シグナリングを受信することと、
前記ＲＲＣ専用シグナリングを解析して、前記ＲＲＣ専用シグナリングに搬送される第１の原因値を取得することと、
前記第１の原因値に基づいて、前記ＲＲＣ専用シグナリングに対するアクセスカテゴリＡｃｃｅｓｓ Ｃａｔｅｇｏｒｙを検索することと、
前記アクセスカテゴリに基づいて前記ＲＲＣ専用シグナリングに対してアクセス制御ＡＣを行うこととを含み、
ここで、前記第１の原因値は、前記ＵＥが無線リソース制御ＲＲＣ層により生成したものである。
【００１０】
第３の態様として、本発明の実施例は、ユーザーデバイスＵＥを提供し、生成部、カプセル及び送信部を含み、
ここで、前記生成部は、無線リソース制御ＲＲＣ層により第１の原因値ｃａｕｓｅ ｖａｌｕｅを生成するように構成され、
前記カプセルは、送信されるＲＲＣ専用シグナリングに前記第１の原因値をカプセル化するように構成され、
前記送信部は、前記第１の原因値がカプセル化された、送信されるＲＲＣ専用シグナリングをネットワーク側デバイスに送信するように構成され、
ここで、前記送信されるＲＲＣ専用シグナリングは、前記ネットワーク側デバイスがアクセス制御を行うために用いられる。
【００１１】
第４の態様として、本発明の実施例は、ネットワーク側デバイスを提供し、ここで、前記ネットワーク側デバイスは、受信部、解析部、検索部及び制御部を含み、ここで、
前記受信部は、ユーザーデバイスＵＥにより送信されたＲＲＣ専用シグナリングを受信するように構成され、
前記解析部は、前記ＲＲＣ専用シグナリングを解析して、前記ＲＲＣ専用シグナリングに搬送される第１の原因値を取得するように構成され、ここで、前記第１の原因値は、前記ＵＥが無線リソース制御ＲＲＣ層により生成したものであり、
前記検索部は、前記第１の原因値に基づいて、前記ＲＲＣ専用シグナリングに対するアクセスカテゴリＡｃｃｅｓｓ Ｃａｔｅｇｏｒｙを検索するように構成され、
前記制御部は、前記アクセスカテゴリに基づいて前記ＲＲＣ専用シグナリングに対してアクセス制御ＡＣを行うように構成される。
【００１２】
第５の態様として、本発明の実施例は、ユーザーデバイスＵＥを提供し、ここで、前記ＵＥは、第１のネットワークインターフェース、第１のメモリ及び第１のプロセッサを含み、ここで、
前記第１のネットワークインターフェースは、他の外部ネットワークエンティティとの間で情報を送受信する過程において、信号の送受信を行うように構成され、
前記第１のメモリは、前記第１のプロセッサ上で実行可能なコンピュータプログラムを記憶するように構成され、
前記第１のプロセッサは、前記コンピュータプログラムを実行する際に、第１の態様の方法のステップを実行するように構成されている。
【００１３】
第６の態様として、本発明の実施例は、ネットワーク側デバイスを提供し、ここで、前記ネットワーク側デバイスは、第２のネットワークインターフェース、第２のメモリ及び第２のプロセッサを含み、
ここで、前記第２のネットワークインターフェースは、他の外部ネットワークエンティティとの間で情報を送受信する過程において、信号の送受信を行うように構成され、
前記第２のメモリは、前記第２のプロセッサ上で実行可能なコンピュータプログラムを記憶するように構成され、
前記第２のプロセッサは、前記コンピュータプログラムを実行する際に、第２の態様の方法のステップを実行するように構成されている。
【００１４】
第７の態様として、本発明の実施例は、コンピュータ可読媒体を提供し、前記コンピュータ可読媒体にアクセス制御のプログラムが記憶し、前記アクセス制御のプログラムが少なくとも１つプロセッサにより実行されると、第１の態様又は第２の態様の方法のステップを実現する。
【００１５】
第８の態様として、本発明の実施例は、アクセス制御のシステムを提供し、ユーザーデバイスＵＥとネットワーク側デバイスを含み、ここで、
前記ユーザーデバイスは、無線リソース制御ＲＲＣ層により第１の原因値ｃａｕｓｅ ｖａｌｕｅを生成し、
送信されるＲＲＣ専用シグナリングに前記第１の原因値をカプセル化し、
前記第１の原因値がカプセル化された、送信されるＲＲＣ専用シグナリングを前記ネットワーク側デバイスに送信するように構成され、ここで、前記送信されるＲＲＣ専用シグナリングは、前記ネットワーク側デバイスがアクセス制御を行うために用いられ、
前記ネットワーク側デバイスは、前記ユーザーデバイスＵＥにより送信されたＲＲＣ専用シグナリングを受信し、
前記ＲＲＣ専用シグナリングを解析して、前記ＲＲＣ専用シグナリングに搬送される第１の原因値を取得し、ここで、前記第１の原因値は、前記ＵＥが無線リソース制御ＲＲＣ層により生成したものであり、
前記第１の原因値に基づいて、前記ＲＲＣ専用シグナリングに対するアクセスカテゴリＡｃｃｅｓｓ Ｃａｔｅｇｏｒｙを検索し、
前記アクセスカテゴリに基づいて前記ＲＲＣ専用シグナリングに対してアクセス制御ＡＣを行うように構成される。
【００１６】
本発明の実施例は、アクセス制御方法、デバイス、コンピュータ可読媒体およびシステムを提供し、端末は、ＲＲＣ層によって生成された第１の原因値を、送信されるＲＲＣ専用シグナリングにカプセル化することができ、そして、ネットワーク側デバイスは、送信されるＲＲＣ専用シグナリングを受信した後に、ＮＡＳ層によって提供された第２の原因値を取得することができなくても、ＵＥのＲＲＣ層によって提供された第１の原因値に基づいてアクセス制御を行うことができ、それにより、非ＮＡＳ層によってトリガーされたアクセスをアクセス制御することができる。
【図面の簡単な説明】
【００１７】
【図１】本発明の実施例におけるアクセス制御方法のフローチャートである。
【図２】本発明の実施例におけるＲＲＣ専用シグナリングの構成図である。
【図３】本発明の実施例における他のアクセス制御方法のフローチャートである。
【図４】本発明の実施例におけるアクセス制御方法のフローチャートである。
【図５】本発明の実施例におけるユーザーデバイスの構成図である。
【図６】本発明の実施例における他のユーザーデバイスの構成図である。
【図７】本発明の実施例におけるユーザーデバイスのハードウェアの構成図である。
【図８】本発明の実施例におけるネットワーク側デバイスの構成図である。
【図９】本発明の実施例におけるネットワーク側デバイスのハードウェアの構成図である。
【図１０】本発明の実施例におけるアクセス制御のシステムの構成図である。
【図１１】本発明の実施例における他のアクセス制御方法のフローチャートである。
【図１２】本発明の実施例における他のネットワーク側デバイスの構成図である。
【図１３】本発明の実施例における他のネットワーク側デバイスハードウェアの構成図である。
【図１４】本発明の実施例における他のアクセス制御方法のフローチャートである。
【図１５】本発明の実施例における他のユーザーデバイスの構成図である。
【図１６】本発明の実施例における他のユーザーデバイスハードウェアの構成図である。
【発明を実施するための形態】
【００１８】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００１９】
実施例一
図１を参照し、本発明の実施例におけるアクセス制御方法を示し、該方法がユーザーデバイス（ＵＥ、Ｕｓｅｒ  Ｅｑｕｉｐｍｅｎｔ）に応用され、該方法は、以下のステップを含み、
Ｓ１０１において、無線リソース制御（ＲＲＣ、Ｒａｄｉｏ Ｒｅｓｏｕｒｃｅ Ｃｏｎｔｒｏｌ）層により第１の原因値ｃａｕｓｅ ｖａｌｕｅを生成し、
Ｓ１０２において、送信されるＲＲＣ専用シグナリングに前記第１の原因値をカプセル化し、
Ｓ１０３において、前記第１の原因値がカプセル化された、送信されるＲＲＣ専用シグナリングをネットワーク側デバイスに送信し、ここで、前記送信されるＲＲＣ専用シグナリングは、前記ネットワーク側デバイスがアクセス制御を行うために用いられる。
【００２０】
なお、ｃｏｎｎｅｃｔｅｄ状態またはｉｎａｃｔｉｖｅ状態にあるＵＥは、ＲＲＣ層によりＡＣを行うための第１の原因値を生成し、ＲＲＣ専用シグナリングにカプセル化してネットワーク側デバイスに送信することで、ＵＥのＮＡＳ層が第２の原因値を提供しない場合にも、ネットワーク側デバイスがＲＲＣ層によって生成された第１の原因値に従ってＡＣ制御を行うことができる。
【００２１】
なお、図１に示す技術案において、ＵＥのＮＡＳ層が送信されるＲＲＣ専用シグナリングに第２の原因値を提供するか否かに関わらず、ＵＥは、ＲＲＣ層により第１の原因値を生成し、送信されるＲＲＣ専用シグナリングにカプセル化することができる。すなわち、送信されるＲＲＣ専用シグナリングにおいて、第２の原因値の優先度は第１の原因値よりも高くてもよく、すなわち、ネットワーク側デバイスが送信されるＲＲＣ専用シグナリングを受信した後、第２の原因値に従ったアクセス制御ＡＣを優先することができ、送信されるＲＲＣ専用シグナリングに第２の原因値が存在しない場合、アクセス制御ＡＣは、第１の原因値に従って行われる。
【００２２】
上記の説明において、送信されるＲＲＣ専用シグナリングことは、第１の原因値と第２の原因値とを同時に搬送することが可能であるが、両方の原因値を同時に搬送することは、シグナリングの伝送過程でリソースオーバーヘッドを増加させる。このため、ＵＥは、ＮＡＳ層が第２の原因値を提供できない場合に、ＲＲＣ層により第１の原因値を提供することができる。しかし、ＵＥは、多様な方式でＮＡＳ層が第２の原因値を提供できないと判断することができるので、この実施例は、次の２つの例で説明する。
【００２３】
任意選択的な例一として、前記無線リソース制御ＲＲＣ層により第１の原因値ｃａｕｓｅ ｖａｌｕｅを生成する前に、さらに
前記送信されるＲＲＣ専用シグナリングに非アクセス層ＮＡＳにより提供される第２の原因値が存在するかどうかを検出することと、
前記送信されるＲＲＣ専用シグナリングに前記第２の原因値が存在しない場合、ＲＲＣ層により前記第１の原因値を生成することとを含む。
【００２４】
なお、ＵＥは、送信されるＲＲＣ専用シグナリングを直接検出することができ、送信されるＲＲＣ専用シグナリングがＮＡＳ層によりトリガーされないか、又はＮＡＳ層が送信されるＲＲＣシグナリングにおいて第２の原因値を提供できない場合、送信されるＲＲＣ専用シグナリングには第２の原因値は存在しない。したがって、第２の原因値が送信されるＲＲＣ専用シグナリングに存在しない場合には、ネットワーク側デバイスは第１の原因値によりＡＣ制御を行う必要があることがわかる。
【００２５】
任意選択的な例二として、前記無線リソース制御ＲＲＣ層により第１の原因値ｃａｕｓｅ ｖａｌｕｅを生成する前に、前記方法は、さらに、
前記ＵＥがあるＲＲＣ状態を検出することと、
前記ＵＥが接続Ｃｏｎｎｅｃｔｅｄ状態又は非アクティブｉｎａｃｔｉｖｅ状態にある場合、無線リソース制御ＲＲＣ層により第１の原因値ｃａｕｓｅ ｖａｌｕｅを生成することとを含む。
【００２６】
なお、ＵＥが接続Ｃｏｎｎｅｃｔｅｄ状態又は非アクティブｉｎａｃｔｉｖｅ状態にある場合、ＵＥは少なくともアクセスネットワークに接続されているため、ＵＥがＣｏｎｎｅｃｔｅｄ状態又はｉｎａｃｔｉｖｅ状態にある場合にも、ＮＡＳ層によりＲＲＣメッセージをトリガーしない。したがって、上記２つの状態においても、ＮＡＳ層は、同様に第２の原因値を提供することができず、ネットワーク側デバイスが第１の原因値によりＡＣ制御を行う必要があることがわかる。
【００２７】
図１に示される技術案の１つの可能な実装において、第２の原因値が存在する値ドメインとの衝突を回避するために、好ましくは、前記送信されるＲＲＣ専用シグナリングに前記第１の原因値をカプセル化することは、
前記送信されるＲＲＣ専用シグナリングに情報ユニット（ＩＥ、Ｉｎｆｏｒｍａｔｉｏｎ Ｅｌｅｍｅｎｔ）を追加で設定し、
前記第１の原因値を前記追加で設定されたＩＥに書き込むこととを含む。
【００２８】
この実施例に関して、図２を参照すると、本発明の実施例によって提供されるＲＲＣ専用シグナリングのＩＥの模式図が示されており、元のＲＲＣ専用シグナリングにおいて、パディングないボックスで示されるように、他のＲＲＣ情報ユニットＩＥに加えて、その内容がＮＡＳ層によって書いた原因値、すなわち、第２の原因値であるＩＥを含み、この実施例では、１つのＩＥを追加し、図２の斜線塗り枠で示すように、この追加したＩＥの内容が、ＲＲＣ層で書いた原因値、すなわち、第１の原因値となる。
【００２９】
なお、ＵＥは、追加で設定されたＩＥによって、送信されるＲＲＣ専用シグナリングに第１の原因値を書き込むことができ、そして、ＮＡＳ層によって提供される第２の原因値を区別する。同一のＩＥに第１の原因値及び第２の原因値を書くことによりＮＡＳとＲＲＣ層との間の協調手順を回避する。
【００３０】
好ましくは、図２において、第１の原因値及び第２の原因値が位置するＩＥは、互いに独立しているが、前述の説明に基づき、第２の原因値の優先度が第１の原因値より高い場合、送信されるＲＲＣ専用シグナリングにおいて、追加で設定されたＩＥは、非アクセス層ＮＡＳが提供する第２の原因値が位置するＩＥの後に設定されてもよい。これにより、ネットワーク側デバイスは、送信されるＲＲＣ専用シグナリングを解析した後、まず第２の原因値を検出し、その後、第２の原因値の有無によって第１の原因値を検出してＡＣを行うか否かを決定することができる。
【００３１】
この実施例で提供するアクセス制御方法は、端末が送信されるＲＲＣ専用シグナリングに、ＲＲＣ層により生成された第１の原因値をカプセル化することで、ネットワーク側デバイスが送信されるＲＲＣ専用シグナリングを送信した後、ＮＡＳ層により提供される第２の原因値を取得できなくても、ＵＥのＲＲＣ層により提供される第１の原因値に基づいてアクセス制御を行うことができるように、非ＮＡＳ層がトリガーするアクセスをアクセス制御することができる。
【００３２】
実施例二
前述の実施例と同様の発明思想に基づいて、図３を参照すると、本発明の実施例によって提供されるアクセス制御方法が示されており、この方法は、ネットワーク側デバイス、具体的には、５Ｇ基地局ｇＮＢ又はコアアクセス及びモビリティ管理( ＡＭＦ、Ｃｏｒｅ Ａｃｃｅｓｓ ａｎｄ Ｍｏｂｉｌｉｔｙ Ｍａｎａｇｅｍｅｎｔ Ｆｕｎｃｔｉｏｎ )に適用され、以下のステップを含み、
Ｓ３０１において、ユーザーデバイスＵＥにより送信されたＲＲＣ専用シグナリングを受信し、
Ｓ３０２において、前記ＲＲＣ専用シグナリングを解析して、前記ＲＲＣ専用シグナリングに搬送される第１の原因値を取得し、ここで、前記第１の原因値は、前記ＵＥが無線リソース制御ＲＲＣ層により生成したものであり、
Ｓ３０３において、前記第１の原因値に基づいて、前記ＲＲＣ専用シグナリングに対するアクセスカテゴリＡｃｃｅｓｓ Ｃａｔｅｇｏｒｙを検索し、
Ｓ３０４において、前記アクセスカテゴリに基づいて前記ＲＲＣ専用シグナリングに対してアクセス制御ＡＣを行う。
【００３３】
なお、この実施例では、ネットワーク側デバイスがＲＲＣ専用シグナリング内の第１の原因値に従ってアクセス制御ＡＣを行うことで、ネットワーク側デバイスが非ＮＡＳ層によってトリガーされたＲＲＣ専用シグナリングに対して、またはＲＲＣ専用シグナリング内で原因値を提供できない場合に、アクセス制御ＡＣを行うことができる。
【００３４】
図３に示す技術案は、可能な方式において、前記ＲＲＣ専用シグナリングを解析して、前記ＲＲＣ専用シグナリングに搬送される第１の原因値を取得することは、
前記ＲＲＣ専用シグナリングを解析して、前記ＲＲＣ専用シグナリングに非アクセス層ＮＡＳにより提供される第２の原因値が存在するかどうかを検索することと、
前記ＲＲＣ専用シグナリングに前記第２の原因値が存在しない場合、ＲＲＣ層により生成される第１の原因値が存在するかどうかを検索することと、
前記ＲＲＣ専用シグナリングに前記第１の原因値が存在する場合、前記第１の原因値を取得することとを含む。
【００３５】
通常、ＲＲＣ専用シグナリング内にＵＥのＮＡＳ層により提供される第２の原因値が存在する場合、ネットワーク側デバイスは、第２の原因値に対応するアクセスカテゴリＡｃｃｅｓｓ Ｃａｔｅｇｏｒｙを取得し、次に、ネットワーク側デバイスのＲＲＣプロトコル層は、第２の原因値に対応するアクセスカテゴリによってアクセス制御を行うことができる。したがって、第２の原因値の優先度は第１の原因値の優先度よりも高くてもよいことが分かる。そこで、この実施例では、まず、第２の原因値が存在するか否かを検出し、存在する場合には、第２の原因値に対応するアクセスカテゴリに従ってアクセス制御を行い、存在しない場合は、第１の原因値が存在するか否かを継続して検出し、第１の原因値が存在する場合は、第１の原因値に対応するアクセスクラスに基づいてアクセス制御を行うことができる。
【００３６】
実施例１の技術案によれば、同一のＩＥに第１の原因値及び第２の原因値の両方を書くことによって生じるＮＡＳとＲＲＣ層との間の協調手順を回避するために、ＵＥは、追加でＩＥを設定することによって第１の原因値を書くことで、ＮＡＳ層によって提供される第２の原因値を区別する。第１の原因値と第２の原因値が存在するＩＥは互いに独立している。これに基づいて、上記の実現方式において、ＲＲＣ層により生成される第１の原因値が存在するかどうかを検索することは、具体的には、
追加で設定された情報ユニットＩＥが存在するかどうかを検索することと、
追加で設定されたＩＥを検索した場合、追加で設定されたＩＥに前記第１の原因値が存在するかどうかを検定することとを含む。
【００３７】
さらに、ＲＲＣ専用シグナリングを順次検出できるようにするためには、第１の原因値が存在するＩＥは、第２の原因値が存在するＩＥよりも後に設定されることが好ましい。
【００３８】
この実施例は、アクセス制御方法を提供し、ネットワーク側デバイスが、送信されるＲＲＣ専用シグナリングを受信した後、ＮＡＳ層により提供される第２の原因値を取得できなくても、ＵＥのＲＲＣ層により提供される第１の原因値に基づいてアクセス制御を行うことで、非ＮＡＳ層がトリガーするアクセスをアクセス制御することができる。
【００３９】
実施例三
本発明の実施例によって提供されるアクセス制御の具体的な流れを示す図４を参照すると、図４は、非ＮＡＳ層によってトリガーされたＲＲＣシグナリングに非典型的に適用される場合、または、ＮＡＳ層がＲＲＣシグナリングに原因値を提供できない場合に適用されるものであり、具体的な流れは、以下を含むことができ、
Ｓ４０１において、ＵＥがＲＲＣ層により第１の原因値を生成し、
Ｓ４０２において、ＵＥが送信されるＲＲＣ専用シグナリングにＩＥを追加で設定し、
Ｓ４０３において、ＵＥが第１の原因値を該追加で設定されたＩＥに書き込み、ネットワーク側デバイスに該送信されるＲＲＣ専用シグナリングを送信し、
なお、ＵＥのＮＡＳ層が送信されるＲＲＣ専用シグナリングに第２の原因値を提供しているか否かに関わらず、ＵＥは、ＲＲＣ層により第１の原因値を生成することができる。なお、ＵＥのＮＡＳ層が、送信されるＲＲＣ専用シグナリングにおいて第２の原因値を提供することができる場合、送信されるＲＲＣ専用シグナリングは、ＵＥのＮＡＳ層によってトリガーされることが示され得る。通常、トラッキングエリア更新( ＴＡＵ、Ｔｒａｃｋｉｎｇ Ａｒｅａ Ｕｐｄａｔｅ )メッセージ、サービス要求ｓｅｒｖｉｃｅ ｒｅｑｕｅｓｔメッセージなどのＲＲＣ専用シグナリングは、いずれもＮＡＳ層によってトリガーされ、非ＮＡＳ層によってトリガーされるＲＲＣシグナリングまたはＮＡＳ層が原因値を提供できないＲＲＣシグナリングは、通常、オンデマンドシステム情報を要求するメッセージであってもよく、サイドリンクＵＥ情報ｓｉｄｅｌｉｎｋＵＥＩｎｆｏｒｍａｔｉｏｎなどを要求するメッセージであってもよい。
【００４０】
なお、ＵＥは第１の原因値が搬送される送信されるＲＲＣ専用シグナリングをネットワーク側デバイスに送信した後、ネットワーク側デバイスは、送信されるＲＲＣ専用シグナリング内の原因値(第１の原因値または第２の原因値)に応じてアクセス制御ＡＣを実行することができる。
【００４１】
Ｓ４０４において、ネットワーク側デバイスは、ＲＲＣ専用シグナリングにＮＡＳ層により提供される第２の原因値が存在するかどうかを検出し、
存在する場合、Ｓ４０５に遷移し、第２の原因値に対応するアクセスカテゴリＡｃｃｅｓｓ Ｃａｔｅｇｏｒｙを取得し、第２の原因値に対応するアクセスカテゴリに基づいてアクセス制御を行い、
存在しない場合、Ｓ４０６に遷移し、ＲＲＣ層により提供される第１の原因値が存在するかどうかを検出し、
存在する場合、Ｓ４０７に遷移し、第１の原因値に対するアクセスカテゴリを取得し、第１の原因値に対するアクセスカテゴリに基づいてアクセス制御を行い、
存在しない場合、Ｓ４０８に遷移し、送信されるＲＲＣ専用シグナリングに対してアクセス制御ＡＣを行わない。
【００４２】
なお、異なるアクセスカテゴリは、異なる制限ｂａｒｒｉｎｇパラメータに対応し、異なる確率でのｂａｒｒｉｎｇ処理を可能にし、異なるｂａｒｒｉｎｇ時間を維持する。
【００４３】
図４に示す技術案によって、ネットワーク側デバイスは、ＮＡＳ層が原因値を提供できない場合、ＵＥのＲＲＣ層が提供する第１の原因値でアクセス制御を行うことができ、非ＮＡＳ層がトリガーするアクセスをアクセス制御できるようになることが分かる。
【００４４】
実施例四
前記実施例と同じ発明の思想に基づいて、図５を参照し、本発明の実施例におけるＵＥ５０は、生成部５０１、カプセル部５０２及び送信部５０３を含み、ここで、前記生成部５０１は、無線リソース制御ＲＲＣ層により第１の原因値ｃａｕｓｅ ｖａｌｕｅを生成するように構成され、
前記カプセル部５０２は、送信されるＲＲＣ専用シグナリングに前記第１の原因値をカプセル化するように構成され、
前記送信部５０３は、前記第１の原因値がカプセル化された、送信されるＲＲＣ専用シグナリングをネットワーク側デバイスに送信するように構成され、ここで、前記送信されるＲＲＣ専用シグナリングは、前記ネットワーク側デバイスがアクセス制御を行うために用いられる。
【００４５】
実現可能な方式において、図６を参照し、前記ＵＥ５０は、さらに、第１の検出部５０４を含み、第１の検出部５０４は、前記送信されるＲＲＣ専用シグナリングに非アクセス層ＮＡＳにより提供される第２の原因値が存在するかどうかを検出し、前記送信されるＲＲＣ専用シグナリングに前記第２の原因値が存在しない場合、前記生成部５０１をトリガーするように構成される。
【００４６】
実現可能な方式において、図６を参照し、前記ＵＥ５０は、さらに、第２の検出部５０５を含み、第２の検出部５０５は、前記ＵＥがあるＲＲＣ状態を検出し、前記ＵＥが接続Ｃｏｎｎｅｃｔｅｄ状態又は非アクティブｉｎａｃｔｉｖｅ状態にある場合、前記生成部５０１をトリガーするように構成される。
【００４７】
実現可能な方式において、前記カプセル５０２は、前記送信されるＲＲＣ専用シグナリングに情報ユニットＩＥを追加で設定し、
前記第１の原因値を前記追加で設定されたＩＥに書き込むように構成され、前記追加で設定されたＩＥとＮＡＳ層により提供される第２の原因値が存在するＩＥとが、独立している。
【００４８】
具体的には、この実施例に係るＵＥ５０は、携帯電話、スマートフォン、セッション開始プロトコル( ＳＩＰ )電話、ラップトップコンピュータ、携帯情報端末( ＰＤＡ )、衛星無線、全地球測位システム、マルチメディアデバイス、ビデオデバイス、デジタルオーディオプレーヤ(例えば、ＭＰ３プレーヤ)、カメラ、ゲームコンソール、タブレットコンピュータ、又は同様の機能を有する任意の他のデバイスを含み得る。一方、端末デバイスは、当業者によって、ユーザデバイス、端末、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることもある。
【００４９】
この実施例において、「部分」は、回路の一部、プロセッサの一部、プログラムの一部、またはソフトウェアの一部などであってもよく、もちろん、ユニットであってもよく、モジュールであってもよく、非モジュールであってもよい。
【００５０】
また、この実施例における各構成要素は、１つの処理装置に集積されていてもよく、各構成要素が物理的に別々に存在していてもよく、２つ以上の構成要素が１つの処理装置に集積されていてもよい。上記統合されたユニットは、ハードウェアの形態で実現されてもよく、ソフトウェア機能ブロックの形態で実現されてもよい。
【００５１】
統合されたユニットは、ソフトウェア機能モジュールの形態で実現され、独立した製品として販売又は使用されない場合、コンピュータ読み取り可能な記憶媒体に記憶されてもよく、そのような理解に基づいて、この実施例の技術案の本質又は従来技術に寄与する部分、又は技術案の全部又は一部は、１つの記憶媒体に記憶されたソフトウェア製品の形態で具現化されてもよく、コンピュータ装置(パーソナルコンピュータ、サーバ、又はネットワーク装置などであってもよい)又はｐｒｏｃｅｓｓｏｒ (プロセッサ)にこの実施例に記載の方法のステップの全部又は一部を実行させるための複数の命令を含む。なお、前記記憶媒体としては、Ｕ-ディスク、リムーバブルハードディスク、リードオンリーメモリ( ＲＯＭ、Ｒｅａｄ Ｏｎｌｙ Ｍｅｍｏｒｙ )、ランダムアクセスメモリ( ＲＡＭ、Ｒａｎｄｏｍ Ａｃｃｅｓｓ Ｍｅｍｏｒｙ )、磁気ディスク、光ディスク等のプログラムコードを記憶できる種々の媒体を包含する。
【００５２】
したがって、この実施例は、少なくとも１つのプロセッサによって実行されると、上述の実施例１に記載の方法のステップを実現するアクセス制御のプログラムを記憶したコンピュータ可読媒体を提供する。
【００５３】
上述したＵＥ５０及びコンピュータ可読媒体に基づいて、図７を参照すると、本発明の実施例によるＵＥ５０の具体的なハードウェア構成が示されており、第１のネットワークインタフェース７０１、第１のメモリ７０２、及び第１のプロセッサ７０３を含み、各構成要素は、バスシステム７０４によって共に結合され得る。バスシステム７０４は、これらの構成要素間の接続通信を可能にするために使用されることが理解される。バスシステム７０４は、データバスの他に、電源バス、制御バス、ステータス信号バスを有する。ただし、説明を分かりやすくするために、図７では、様々なバスをバスシステム７０４と表記している。ここで、第１のネットワークインタフェース７０１は、他の外部ネットワークとの間で情報を送受信する際に、信号の送受信を行い、
第１のメモリ７０２は、第１のプロセッサ７０３で実行可能なコンピュータプログラムを記憶し、
第１のプロセッサ７０３は、コンピュータプログラムを実行するときに、
無線リソース制御ＲＲＣ層により第１の原因値ｃａｕｓｅ ｖａｌｕｅを生成し、
送信されるＲＲＣ専用シグナリングに前記第１の原因値をカプセル化し、
前記第１の原因値がカプセル化された、送信されるＲＲＣ専用シグナリングをネットワーク側デバイスに送信するように構成され、ここで、前記送信されるＲＲＣ専用シグナリングは、前記ネットワーク側デバイスがアクセス制御を行うために用いられる。
【００５４】
本発明の実施例における第１のメモリ７０２は、揮発性メモリまたは不揮発性メモリのいずれであってもよく、または揮発性メモリと不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲＳＤＲＡＭ )、拡張シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲＲＡＭ )など、多くの形態で利用可能である。本明細書に記載されるシステムおよび方法の第１のメモリ７０２は、これらおよび任意の他の適切なタイプのメモリを含むことが意図されるが、これらに限定されない。
【００５５】
第１のプロセッサ７０３は、信号の処理能力を有する集積回路チップであってもよい。実装の過程で、方法のステップは、第１のプロセッサ７０３内のハードウェアの集積論理回路またはソフトウェア形態の命令によって実行され得る。上述の第１のプロセッサ７０３は、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本発明の実施例に開示された方法、ステップ、および論理ブロック図は、実施され得るか、または実行され得る。汎用プロセッサはマイクロプロセッサであってもよく、プロセッサは任意の従来のプロセッサなどであってもよい。本発明の実施例に関連して開示された方法のステップは、ハードウェアデコーディングプロセッサ実行として直接具体化され得るか、または、デコーディングプロセッサ内のハードウェアおよびソフトウェアモジュールの組み合わせで実行され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は第１のメモリ７０２に位置し、第１のプロセッサ７０３は第１のメモリ７０２内の情報を読み取り、そのハードウェアとともに上述した方法のステップを実行する。
【００５６】
なお、本明細書に記載される実施例は、ハードウェア、ソフトウェア、ファームウェア、ミドルウェア、マイクロコード、またはそれらの組み合わせで実装され得る。ハードウェア実装の場合、処理ユニットは、１つ又は複数の特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔｓ、ＡＳＩＣ )、デジタル信号プロセッサ( Ｄｉｇｉｔａｌ Ｓｉｇｎａｌ Ｐｒｏｃｅｓｓｉｎｇ、ＤＳＰ )、デジタル信号処理デバイス( ＤＳＰ Ｄｅｖｉｃｅ、ＤＳＰＤ )、プログラマブル論理デバイス( Ｐｒｏｇｒａｍｍａｂｌｅ Ｌｏｇｉｃ Ｄｅｖｉｃｅ、ＰＬＤ )、フィールドプログラマブルゲートアレイ( Ｆｉｅｌｄ−Ｐｒｏｇｒａｍｍａｂｌｅ Ｇａｔｅ Ａｒｒａｙ、ＦＰＧＡ )、汎用プロセッサ、コントローラ、マイクロコントローラ、マイクロプロセッサ、本明細書に記載される機能を実行するための他の電子ユニット、又はそれらの組み合わせで実装されてもよい。
【００５７】
ソフトウェア実装の場合、本明細書に説明される技術は、本明細書に説明される機能を実行するモジュール(例えば、プロセス、関数など)によって実装され得る。ソフトウェアコードは、メモリに記憶され、プロセッサによって実行され得る。メモリは、プロセッサ内に実装されてもよく、またはプロセッサの外部に実装されてもよい。
【００５８】
具体的には、ＵＥ５０の第１のプロセッサ７０３は、コンピュータプログラムを実行することにより、上述の実施例１に記載の方法ステップを実行するように更に構成され、ここでその説明が省略される。
【００５９】
実施例五
前記実施例と同じ発明の思想に基づいて、図８を参照し、本発明の実施例におけるネットワーク側デバイス８０を示し、受信部８０１、解析部８０２、検索部８０３及び制御部８０４を含み、ここで、
前記受信部８０１は、ユーザーデバイスＵＥにより送信されたＲＲＣ専用シグナリングを受信するように構成され、
前記解析部８０２は、前記ＲＲＣ専用シグナリングを解析して、前記ＲＲＣ専用シグナリングに搬送される第１の原因値を取得するように構成され、ここで、前記第１の原因値は、前記ＵＥが無線リソース制御ＲＲＣ層により生成したものであり、
前記検索部８０３は、前記第１の原因値に基づいて、前記ＲＲＣ専用シグナリングに対するアクセスカテゴリＡｃｃｅｓｓ Ｃａｔｅｇｏｒｙを検索するように構成され、
前記制御部８０４は、前記アクセスカテゴリに基づいて前記ＲＲＣ専用シグナリングに対してアクセス制御ＡＣを行うように構成される。
【００６０】
実現可能な方式において、前記解析部８０２は、
前記ＲＲＣ専用シグナリングを解析して、前記ＲＲＣ専用シグナリングに非アクセス層ＮＡＳにより提供される第２の原因値が存在するかどうかを検索し、
前記ＲＲＣ専用シグナリングに前記第２の原因値が存在しない場合、ＲＲＣ層により生成される第１の原因値が存在するかどうかを検索し、
前記ＲＲＣ専用シグナリングに前記第１の原因値が存在する場合、前記第１の原因値を取得するように構成される。
【００６１】
上記の実現方式において、前記検索部８０３は、
追加で設定された情報ユニットＩＥが存在するかどうかを検索し、
追加で設定されたＩＥを検索した場合、追加で設定されたＩＥに前記第１の原因値が存在するかどうかを検定するように構成される。
【００６２】
具体的には、この実施例に係るネットワーク側デバイス８０は、ｇＮＢ又はＡＭＦであることが好ましく、この実施例では説明を省略する。
【００６３】
また、この実施例は、少なくとも１つのプロセッサによって実行されると、上記実施例２に記載の方法のステップを実現するアクセス制御のプログラムを記憶したコンピュータ可読媒体を提供する。コンピュータ可読媒体の具体的な説明については、実施例４の説明を参照し、ここでは詳しい説明を省略する。
【００６４】
以上のようなネットワーク側デバイス８０の構成とコンピュータ読み取り可能な媒体とに基づいて、図９を参照すると、本発明の実施例に係るネットワーク側デバイス８０の具体的なハードウェア構成が示されており、第２ネットワークインタフェース９０１、第２メモリ９０２及び第２プロセッサ９０３を備え、各構成要素は、バスシステム９０４を介して接続される。バスシステム９０４は、これらの構成要素間の接続通信を可能にするために使用される。バスシステム９０４は、データバスの他に、電源バス、制御バス、ステータス信号バスなどを有する。ただし、説明を分かりやすくするために、図９では、各種のバスをバスシステム９０４と表記している。
【００６５】
ここで、前記第２のネットワークインターフェース９０１は、他の外部ネットワーク要素との間で情報を送受信する際に、信号の送受信を行い、
第２のメモリ９０２は、第２のプロセッサ９０３上で実行可能なコンピュータプログラムを記憶し、
第２のプロセッサ９０３、コンピュータプログラムを実行するときに、
ユーザーデバイスＵＥにより送信されたＲＲＣ専用シグナリングを受信し、
前記ＲＲＣ専用シグナリングを解析して、前記ＲＲＣ専用シグナリングに搬送される第１の原因値を取得し、ここで、前記第１の原因値は、前記ＵＥが無線リソース制御ＲＲＣ層により生成したものであり、
前記第１の原因値に基づいて、前記ＲＲＣ専用シグナリングに対するアクセスカテゴリＡｃｃｅｓｓ Ｃａｔｅｇｏｒｙを検索し、
前記アクセスカテゴリに基づいて前記ＲＲＣ専用シグナリングに対してアクセス制御ＡＣを行うように構成される。
【００６６】
なお、この実施例におけるネットワーク側デバイス８０の具体的なハードウェア構成は、実施例４と同様であるため、その説明を省略する。
【００６７】
具体的には、ネットワーク側デバイス８０の第２プロセッサ９０３は、コンピュータプログラムを実行することにより、前述の実施例２に記載の方法ステップを実行するように構成され、ここでその詳しい説明は省略する。
【００６８】
実施例六
前記実施例と同じ発明の思想に基づいて、図１０を参照し、本発明の実施例におけるアクセス制御のシステム１００を示し、ユーザーデバイスＵＥ５０及びネットワーク側デバイス８０を含み、ここで、
前記ユーザーデバイス５０は、無線リソース制御ＲＲＣ層により第１の原因値ｃａｕｓｅ ｖａｌｕｅを生成し、
送信されるＲＲＣ専用シグナリングに前記第１の原因値をカプセル化し、
前記第１の原因値がカプセル化された、送信されるＲＲＣ専用シグナリングを前記ネットワーク側デバイス８０に送信するように構成され、ここで、前記送信されるＲＲＣ専用シグナリングは、前記ネットワーク側デバイス８０がアクセス制御を行うために用いられ、
前記ネットワーク側デバイス８０は、前記ユーザーデバイスＵＥ５０により送信されたＲＲＣ専用シグナリングを受信し、
前記ＲＲＣ専用シグナリングを解析して、前記ＲＲＣ専用シグナリングに搬送される第１の原因値を取得し、ここで、前記第１の原因値は、前記ＵＥが無線リソース制御ＲＲＣ層により生成したものであり、
前記第１の原因値に基づいて前記ＲＲＣ専用シグナリングに対するアクセスカテゴリＡｃｃｅｓｓ Ｃａｔｅｇｏｒｙを検索し、
前記アクセスカテゴリに基づいて前記ＲＲＣ専用シグナリングに対してアクセス制御ＡＣを行うように構成される。
【００６９】
なお、好ましくは、この実施例に記載のユーザーデバイスＵＥ５０が上記のいずれかの実施例のＵＥであり、この実施例に記載のネットワーク側デバイス８０が上記のいずれかの実施例のネットワーク側デバイスである。ここで説明を省略する。
【００７０】
前述の実施例１〜実施例６の技術案により、ネットワーク側デバイスは、ＵＥが送信するＲＲＣシグナリングを受信した後、該ＲＲＣシグナリングにおいてＵＥのＲＲＣ層により生成された第１の原因値に基づいてアクセス制御を行うことができ、非ＮＡＳ層がトリガーするアクセスをアクセス制御できる。このため、ネットワーク側デバイスは、ＲＲＣ層またはＮＡＳ層によってトリガーされたアクセス制御過程で、アクセス制御ＡＣ関連パラメータをＵＥに送信する必要があり、このＡＣ関連パラメータは、ネットワーク側デバイスがアクセス制御を行うための方策を記述する。以上の説明に基づいて、以下の実施例を提案する。
【００７１】
実施例七
前記実施例と同じ発明の思想に基づいて、図１１を参照し、本発明の実施例におけるアクセス制御方法を示し、前記方法がネットワーク側デバイスに応用され、前記方法は、以下のステップを含み、
Ｓ１１０１において、アクセス制御ＡＣを行うためのＡＣパラメータを第１のＡＣパラメータと第２のＡＣパラメータに分け、ここで、第１のＡＣパラメータが予め設定された特徴に関連し、前記第２のＡＣパラメータが予め設定された特徴に関連せず、
Ｓ１１０２において、前記第１のＡＣパラメータ及び前記第２のＡＣパラメータを異なる情報キャリアにそれぞれ搬送して端末に送信する。
【００７２】
なお、上述したアクセス制御ＡＣを行うためのＡＣパラメータは、ＮＡＳ層によってトリガーされるＡＣパラメータに加えて、前述の実施例１〜実施例６の技術案で述べたＲＲＣ層によってトリガーされるＡＣパラメータを含んでもよい。
【００７３】
図１１に示す技術案では、ネットワーク側デバイスは、アクセス制御を行う際に、アクセス制御ＡＣを行うためのＡＣパラメータをＵＥに伝送する必要がある。ＡＣパラメータの伝送過程において、ＡＣパラメータのデータ量が過大により単一ＳＩＢ負荷が大きい状況が発生することを回避するために、ＡＣパラメータを、予め設定された特徴に関連するか否かに応じて分割した後、異なる情報キャリアを介して、非豊富のＡＣパラメータを端末に送信することによって、単一ＳＩＢ伝送のデータ量を低減し、システム情報ブロードキャスト時の負荷を低減する。
【００７４】
図１１に示す態様では、前記予め設定された特徴は、公共陸上移動ネットワーク( ＰＬＭＮ、Ｐｕｂｌｉｃ Ｌａｎｄ Ｍｏｂｉｌｅ Ｎｅｔｗｏｒｋ )又はアクセスカテゴリＡｃｃｅｓｓ Ｃａｔｅｇｏｒｙを含む。
【００７５】
例えば、予め設定された特徴がＰＬＭＮである場合、第１のＡＣパラメータはＰＬＭＮに関連し、すなわち、対応関係を有し、すなわち、第１のＡＣパラメータはｐｅｒ−ＰＬＭＮであり、第２のＡＣパラメータは、ＰＬＭＮに関連せず、すなわちＰＬＭＮと対応関係を有せず、または、異なるＰＬＭＮである場合には同一である。このような状況に基づいて、第１のＡＣパラメータと第２のＡＣパラメータは、それぞれ異なる情報キャリアを介して送信され得、ＡＣパラメータによってサポートされるＰＬＭＮの数が多すぎる場合に、単一送信されたシステム情報ブロック( ＳＩＢ、Ｓｙｓｔｅｍ Ｉｎｆｏｒｍａｔｉｏｎ Ｂｌｏｃｋ )の負荷が大きくなることを回避することができる。
【００７６】
上記の例に基づいて、予め設定された特徴がアクセスカテゴリＡｃｃｅｓｓ Ｃａｔｅｇｏｒｙである場合、第１のＡＣパラメータとＡｃｃｅｓｓ Ｃａｔｅｇｏｒｙとの関連性、及びＡｃｃｅｓｓ Ｃａｔｅｇｏｒｙに対する第２のＡＣパラメータの独立性は、予め設定された特徴がＰＬＭＮであると理解することができ、ここでその説明が省略される。
【００７７】
なお、上記２つの特徴以外にも、予め設定された特徴がスライスネットワークｓｌｉｃｅである等、相関の有無によりＡＣパラメータを分割できる特徴であれば、この実施例に適用できる。
【００７８】
図１１に示す技術案において、予め設定された特徴の関連性に基づいて、第１のＡＣパラメータと第２のＡＣパラメータが搬送される情報キャリアが異なり、実現可能な方式において、前記第１のＡＣパラメータ及び前記第２のＡＣパラメータを異なる情報キャリアにそれぞれ搬送して端末に送信することは、
前記第１のＡＣパラメータを第１のＳＩＢ又はＲＲＣシグナリングに搬送して前記端末に送信することと、
前記第２のＡＣパラメータを第２のＳＩＢに搬送して前記端末に送信することとを含み、ここで、前記第１のＳＩＢが前記第２のＳＩＢと異なる。
【００７９】
たとえば、第１のＳＩＢはＳＩＢ１であることが可能であり、または、第１のＡＣパラメータはまた、残りの最小化されたシステム情報( ＲＭＳＩ、Ｒｅｍａｉｎｉｎｇ Ｍｉｎｉｍｕｍ Ｓｙｓｔｅｍ Ｉｎｆｏｒｍａｔｉｏｎ )を搬送することが可能である。第２のＳＩＢは、新たに定義されたＳＩＢまたはＳＩＢ１以外の他のＳＩＢとすることができる。
【００８０】
この実施例が提供する技術案は、ＡＣパラメータの伝送過程において、ＡＣパラメータのデータ量が過大になって単一ＳＩＢ負荷が大きくなることを避けるために、ＡＣパラメータを予め設定された特徴に関連するか否かに応じて分けた後、異なる情報キャリアを介して、非豊富のＡＣパラメータを端末に送信することによって、単一ＳＩＢ伝送のデータ量を低減させ、システム情報放送時の負荷を減少させる。
【００８１】
上記の図１１の技術案に基づいて、図２を参照し、本発明の実施例におけるネットワーク側デバイス１２０の構成を示し、分け部１２０１と送信部１２０２を含み、ここで、
前記分け部１２０１は、アクセス制御ＡＣを行うためのＡＣパラメータを第１のＡＣパラメータと第２のＡＣパラメータに分けるように構成され、ここで、第１のＡＣパラメータが予め設定された特徴に関連し、前記第２のＡＣパラメータが予め設定された特徴に関連せず、
前記送信部１２０２は、前記第１のＡＣパラメータ及び前記第２のＡＣパラメータを異なる情報キャリアにそれぞれ搬送して端末に送信するように構成される。
【００８２】
上記の技術案において、前記送信部１２０２は、
前記第１のＡＣパラメータを第１のＳＩＢ又はＲＲＣシグナリングに搬送して前記端末に送信し、
前記第２のＡＣパラメータを第２のＳＩＢに搬送して前記端末に送信するように構成され、ここで、前記第１のＳＩＢが前記第２のＳＩＢと異なる。
【００８３】
上記の技術案において、前記予め設定された特徴は、公共陸上移動ネットワークＰＬＭＮ、又はアクセスカテゴリＡｃｃｅｓｓ Ｃａｔｅｇｏｒｙを含む。
【００８４】
また、この実施例は、少なくとも１つのプロセッサによって実行されると、上記図１１に示される方法のステップを実行するアクセス制御のプログラムを記憶したコンピュータ可読媒体を提供する。コンピュータ可読媒体の具体的な説明については、実施例四の説明を参照し、ここでは詳しい説明を省略する。
【００８５】
上記のネットワーク側デバイス１２０及びコンピュータ可読媒体に基づいて、図１３を参照し、図１３は、本発明の実施の形態に係るネットワーク側デバイス１２０の具体的なハードウェア構成を示し、第３のネットワークインタフェース１３０１、第３のメモリ１３０２、第３のプロセッサ１３０３を備え、各構成要素は、バスシステム１３０４を介して接続されている。バスシステム１３０４は、これらの構成要素間の接続通信を可能にするために使用されることが理解されよう。バスシステム１３０４は、データバスの他に、電源バス、制御バス、ステータス信号バスを有する。ただし、説明を分かりやすくするために、図１３では、様々なバスをバスシステム１３０４と表記している。第３のネットワークインタフェース１３０１は、他の外部ネットワークとの間で情報を送受信する際に、信号の送受信を行い、
第３のメモリ１３０２は、第３のプロセッサ１３０３上で実行可能なコンピュータプログラムを記憶し、
第３のプロセッサ１３０３は、コンピュータプログラムを実行するときに、
アクセス制御ＡＣを行うためのＡＣパラメータを第１のＡＣパラメータと第２のＡＣパラメータに分け、ここで、第１のＡＣパラメータが予め設定された特徴に関連し、前記第２のＡＣパラメータが予め設定された特徴に関連せず、
前記第１のＡＣパラメータ及び前記第２のＡＣパラメータを異なる情報キャリアにそれぞれ搬送して端末に送信するように構成される。
【００８６】
なお、この実施例におけるネットワーク側デバイス１２０の具体的なハードウェア構成は、実施例４と同様であるため、その説明を省略する。
【００８７】
具体的には、ネットワーク側デバイス１２０の第３のプロセッサ１３０３は、コンピュータプログラムを実行することにより、図１１に示す前述の方法ステップを実行するように構成され、ここでその説明が省略される。
【００８８】
実施例八
前記実施例と同じ発明の思想に基づいて、図１４を参照し、本発明の実施例におけるアクセス制御方法のフローチャートを示し、該フローチャートがユーザーデバイスに応用され、このフローチャートが以下のステップを含み、
Ｓ１４０１において、第１のＡＣパラメータと第２のＡＣパラメータを受信し、ここで、前記第１のＡＣパラメータ及び前記第２のＡＣパラメータが異なる情報キャリアにそれぞれ搬送され、前記第１のＡＣパラメータが予め設定された特徴に関連し、前記第２のＡＣパラメータが予め設定された特徴に関連せず、
Ｓ１４０２において、前記第１のＡＣパラメータ及び前記第２のＡＣパラメータに基づいてアクセス制御を行う。
【００８９】
上記の技術案において、第１のＡＣパラメータが第１のＳＩＢ又はＲＲＣシグナリングに搬送され、前記第２のＡＣパラメータが第２のＳＩＢに搬送され、前記第１のＳＩＢが前記第２のＳＩＢと異なる。
【００９０】
上記の技術案において、前記予め設定された特徴は、公共陸上移動ネットワークＰＬＭＮ、又はアクセスカテゴリＡｃｃｅｓｓ Ｃａｔｅｇｏｒｙを含む。
【００９１】
なお、この実施例に対する上記技術案の具体的な説明は、実施例七の対応する説明を参照してもよく、ここでその説明が省略される。
【００９２】
図１４を参照して上述した技術的思想に基づいて、図１５を参照し、本発明の実施例に係るユーザデバイス１５０の構成を示し、受信部１５０１と、アクセス制御部１５０２とを備え、
前記受信部１５０１は、第１のＡＣパラメータと第２のＡＣパラメータを受信するように構成され、ここで、前記第１のＡＣパラメータ及び前記第２のＡＣパラメータが異なる情報キャリアにそれぞれ搬送され、前記第１のＡＣパラメータが予め設定された特徴に関連し、前記第２のＡＣパラメータが予め設定された特徴に関連せず、
前記アクセス制御部１５０２は、前記第１のＡＣパラメータ及び前記第２のＡＣパラメータに基づいてアクセス制御を行うように構成される。
【００９３】
上記の技術案において、第１のＡＣパラメータが第１のＳＩＢ又はＲＲＣシグナリングに搬送され、前記第２のＡＣパラメータが第２のＳＩＢに搬送され、前記第１のＳＩＢが前記第２のＳＩＢと異なる。
【００９４】
上記の技術案において、前記予め設定された特徴は、公共陸上移動ネットワークＰＬＭＮ、又はアクセスカテゴリＡｃｃｅｓｓ Ｃａｔｅｇｏｒｙを含む。
【００９５】
また、この実施例は、少なくとも１つのプロセッサによって実行されると、上記図１４に示される方法のステップを実現するアクセス制御のプログラムを記憶したコンピュータ可読媒体を提供する。コンピュータ可読媒体の具体的な説明については、実施例四の説明を参照し、ここでは詳しい説明を省略する。
【００９６】
上述のＵＥ１５０及びコンピュータ可読媒体に基づいて、図１６を参照すると、本発明の実施例によるＵＥ１５０の具体的なハードウェア構成が示されており、第４のネットワークインタフェース１６０１、第４のメモリ１６０２、及び第４のプロセッサ１６０３を含み、各構成要素は、バスシステム１６０４によって共に結合され得る。バスシステム１６０４は、これらの構成要素間の接続通信を可能にするために使用される。バスシステム１６０４は、データバスの他に、電源バス、制御バス、ステータス信号バスを有する。ただし、説明を分かりやすくするために、図１６では、各種のバスをバスシステム１６０４と表記している。ここで、
ここで、前記第４のネットワークインターフェース１６０１は、他の外部ネットワークとの間で情報を送受信する過程で、信号の送受信を行い、
第４のメモリ１６０２は、第４のプロセッサ１６０３で実行可能なコンピュータプログラムを記憶し、
第４のプロセッサ１６０３は、前記コンピュータプログラムを実行する際に、
第１のＡＣパラメータと第２のＡＣパラメータを受信し、ここで、前記第１のＡＣパラメータ及び前記第２のＡＣパラメータが異なる情報キャリアにそれぞれ搬送され、前記第１のＡＣパラメータが予め設定された特徴に関連し、前記第２のＡＣパラメータが予め設定された特徴に関連せず、
前記第１のＡＣパラメータ及び前記第２のＡＣパラメータに基づいてアクセス制御を行うように構成される。
【００９７】
なお、この実施例におけるユーザデバイス１５０の具体的なハードウェア構成は、実施例４と同様であるため、その説明を省略する。
【００９８】
具体的には、ユーザデバイス１５０の第４の処理部１６０３は、コンピュータプログラムを実行することにより、図１４に示す前述の方法ステップを実行するように構成され、ここでは詳しい説明を省略する。
【００９９】
以上の説明は、本発明の好適な実施例に過ぎず、本発明の範囲を限定するものではない。
【産業上の利用可能性】
【０１００】
本発明の実施例において、端末は、送信されるＲＲＣ専用シグナリングに、ＲＲＣ層によって生成された第１の原因値をカプセル化することによって、ネットワーク側デバイスは、送信されるＲＲＣ専用シグナリングを受信した後、ＮＡＳ層によって提供された第２の原因値を取得することができない場合でも、ＵＥのＲＲＣ層によって提供された第１の原因値に基づいてアクセス制御を行うことができ、非ＮＡＳ層によってトリガーされたアクセスをアクセス制御することができる。
【図１】
2021502755.tif 000003
【図２】
2021502755.tif 000004
【図３】
2021502755.tif 000005
【図４】
2021502755.tif 000006
【図５】
2021502755.tif 000007
【図６】
2021502755.tif 000008
【図７】
2021502755.tif 000009
【図８】
2021502755.tif 000010
【図９】
2021502755.tif 000011
【図１０】
2021502755.tif 000012
【図１１】
2021502755.tif 000013
【図１２】
2021502755.tif 000014
【図１３】
2021502755.tif 000015
【図１４】
2021502755.tif 000016
【図１５】
2021502755.tif 000017
【図１６】
2021502755.tif 000018
【国際調査報告】
2021502755.tif 000019
2021502755.tif 000020
2021502755.tif 000021
2021502755.tif 000022